(57)【特許請求の範囲】
【請求項１】
ＭＲＩシステムが一連の画像を形成する方法であって、
（ａ） 測定値の完全な１組で構成されたＮＭＲデータを前記ＭＲＩシステムが収集する工程と、
（ｂ） 前記ＭＲＩシステムが収集された前記ＮＭＲデータを変換して、選択されたビュー領域の静的な画像を再構成する工程と、
（ｃ） 前記ＭＲＩシステムが前記静的な画像から、前記ビュー領域の実質的に静的な部分に位置している構造を示す合成生データを発生する工程と、
（ｄ） 完全な１組の測定値よりも少ない測定値を用いて前記ＭＲＩシステムが新たなＮＭＲデータを収集する工程と、
（ｅ） 前記ＭＲＩシステムが前記新たなＮＭＲデータから前記合成生データを減算して、修正された新たなＮＭＲデータを発生する工程と、
（ｆ） 前記ＭＲＩシステムが該修正された新たなＮＭＲデータを変換して、前記ビュー領域の一部の動的な画像を再構成する工程と
を備えた方法。
【請求項２】
（ｇ）  前記ＭＲＩシステムが前記静的な画像と前記動的な画像とを結合させて、前記ビュー領域全体の更新された画像を形成する工程を更に含んでいる請求項１に記載の方法。
【請求項３】
工程（ａ）〜工程（ｇ）は、一連の走査において反復されて、対応する一連の更新された画像を形成する請求項２に記載の方法。
【請求項４】
工程（ｄ）において収集される前記新たなＮＭＲデータは、前記完全な１組の測定値の実質的に２分の１であり、前記新たなＮＭＲデータは、前記一連の走査中に、前記完全な１組の測定値の第１の２分の１と、前記完全な１組の測定値の第２の２分の１とを交互に繰り返す請求項３に記載の方法。
【請求項５】
工程（ｂ）における前記変換は、フーリエ変換であり、前記完全な１組の測定値の各々の測定値は、個別の位相エンコーディング・ビューである請求項４に記載の方法。
【請求項６】
前記完全な１組の測定値の前記第１の２分の１は、奇数番号の位相エンコーディング・ビューであり、前記完全な１組の測定値の前記第２の２分の１は、偶数番号の位相エンコーディング・ビューである請求項５に記載の方法。
【請求項７】
工程（ｂ）及び工程（ｃ）は、工程（ｄ）において収集される新たなＮＭＲデータを用いて周期的に繰り返される請求項３に記載の方法。
【請求項８】
工程（ｂ）は、前記収集されたＮＭＲデータを２次元でフーリエ変換して前記ビュー領域全体の画像を形成することと、該画像の動的な部分をゼロに設定することとを含んでいる請求項１に記載の方法。
【請求項９】
工程（ｃ）は、１つの次元に沿って前記静的な画像を逆フーリエ変換することを含んでいる請求項８に記載の方法。
【請求項１０】
工程（ｄ）において収集される前記新たなＮＭＲデータは、工程（ｅ）において前記合成生データが減算される前に、１つの次元に沿ってフーリエ変換される請求項９に記載の方法。
【請求項１１】
工程（ａ）及び工程（ｄ）において収集された前記データは、位相シフトされて、前記画像の動的な部分を、シフトされたビュー領域の中央に向かって移動させる請求項１に記載の方法。
【請求項１２】
（ａ） 測定値の完全な１組で構成されたＮＭＲデータを収集する手段と、
（ｂ） 収集された前記ＮＭＲデータを変換して、選択されたビュー領域の静的な画像を再構成する手段と、
（ｃ） 前記静的な画像から、前記ビュー領域の実質的に静的な部分に位置している構造を示す合成生データを発生する手段と、
（ｄ） 完全な１組の測定値よりも少ない測定値を用いて新たなＮＭＲデータを収集する手段と、
（ｅ） 前記新たなＮＭＲデータから前記合成生データを減算して、修正された新たなＮＭＲデータを発生する手段と、
（ｆ） 該修正された新たなＮＭＲデータを変換して、前記ビュー領域の一部の動的な画像を再構成する手段とを備えたＭＲＩシステムを用いて一連の画像を形成する装置。
【発明の詳細な説明】
【０００１】
【産業上の利用分野】
本発明の分野は、核磁気共鳴作像の方法及びシステムである。具体的には、本発明は、ＭＲ（磁気共鳴）蛍光透視法（fluoroscopy）に関し、時間で変動する過程であるが、周期的ではない過程の作像に関する。
【０００２】
【従来の技術】
人体組織のような物体が均一の磁場（分極磁場Ｂ0 ）にさらされるときに、組織内のスピンの個々の磁気モーメントは、この分極磁場に沿って整列しようとするが、各スピン固有のラーモア周波数において乱雑な状態で磁場の周りを歳差運動している。物体、即ち組織が、ｘ−ｙ平面内に存在すると共にラーモア周波数に近い磁場（励起磁場Ｂ1 ）にさらされると、正味の整列モーメントＭz は、ｘ−ｙ平面に向かって回転する、即ち「傾斜する」ことが可能であって、その結果、正味の横（方向）磁気モーメントＭt を発生する。励起したスピンによって信号が放出され、励起信号Ｂ1 を停止させた後に、この信号を受信すると共に処理して画像を形成することができる。
【０００３】
これらの信号を利用して画像を形成するときに、磁場勾配（Ｇx 、Ｇy 及びＧz ）が用いられる。典型的には、作像される領域は、一連の測定サイクルによって走査されており、これらのサイクルにおいて、上述の勾配は、使用されている特定の局在化方法に従って変化する。結果として得られる１組の受信されたＮＭＲ信号をディジタル化すると共に処理し、多くの周知の再構成技術のうちの１つを用いて画像が再構成される。各々の測定サイクルは、実行に短い時間しか要さないが、一画像を取得するためにすべての測定サイクルを実行するのにはかなりの時間を要する可能性がある。
【０００４】
ＭＲ蛍光透視法は、器官内での造影剤の流動、又は侵襲的（interventional）作業の監視のように、時間で変動する過程であるが周期的でない過程の作像に関わるものである。これらの研究では、その主な目的が被検体内で生起しつつある変化を観測することにあるので、データを収集すると共に画像を形成するのに要求される時間が非常に重要である。更新された画像を形成するのに要求されるこの時間は、システムの「時間分解能」（temporal resolution）を決定するので、可能な限り短時間でなければならない。
【０００５】
ＭＲＩ走査の時間分解能を高めるのに用いられる方法は数多くある。先ず、短い繰り返し時間（ＴＲ）による測定サイクルを用いてもよいし、又は、より少ない測定サイクルしか要求しないが分解能はより低い画像を用いてもよい。又、米国特許第４，８３０，０１２号に記載されているように、新たに収集されたデータを以前の画像用に収集されたデータと組み合わせて用い、より高い時間分解能で画像を「部分的に」更新することにより、必要な測定サイクルのすべてよりも少ない測定サイクルで新たな画像を再構成することもできる。加えて、物体が既知の静的構造と既知の動的構造とを有している場合に、物体の動的な部分が完全なＦＯＶ（ビュー領域）のうちの小部分を占有していることがわかっているならば、Magnetic Resonance in Medicine誌、１９９４年、第３１巻、第６９１頁〜第６９４頁に刊行されたHu及びParrishによる「動的な作像のためのビュー領域の削減」（Reduction of Field of View for Dynamic Imaging）に記載されているような方法を用いることもできる。任意の時間フレームと最初の時間フレームとの間の差を用いて、差画像を形成する。差画像は、物体の静的な部分に対しては敏感でない。動的な領域が完全なＦＯＶのうちの２分の１を占有しているならば、時間分解能の向上のためにＳＮＲ（信号対雑音比）に２1/2 の低下の生ずることが予想される。しかも、この方法では、減算のためにＳＮＲに更に２1/2 の低下が生ずる。加えて著者らは、感度のために信号変化が緩慢にされるのでアーティファクトが生ずると報告している。本発明の方法は、従来のこの代替的な方法よりも高いＳＮＲを提供すると共にアーティファクトを生じ難い方法である。
【０００６】
【発明の概要】
本発明は、完全な走査を行うのに要求されるすべての測定サイクルよりも少ない測定サイクルを用いてＭＲ画像を更新し、これによりシステムの時間分解能を高める方法である。更に具体的には、本発明は、ビュー領域全体についてＮＭＲデータを収集すると共に画像を形成することと、このビュー領域の一部を通して画像データをゼロに設定して、変更された画像データを形成することと、変更された画像データを逆変換して、ビュー領域の前述の一部よりも外側に位置する構造を表す合成生データを求めることと、完全な走査を行うのに要求されるすべての測定サイクルよりも少ない測定サイクルを用いて新たなＮＭＲデータを収集することと、新たなＮＭＲデータから合成生データを減算することと、差ＮＭＲデータを用いて画像を再構成して、ビュー領域の前述した一部の画像を形成することとを含んでいる。所望されるならば、内側部分の画像を、変更された画像データと結合させて、完全なビュー領域の画像を形成することもできる。
【０００７】
本発明は、多くのダイナミックＭＲＩの研究では画像の一部しか大幅には変化しないという事実を利用している。しばしば、大幅に変化するのは画像の中央部分である。画像の周縁は比較的静的であるので、この周囲領域を描像するためには高い時間分解能は殆ど必要とされない。にもかかわらず、これらの周囲の静的な構造からの信号を考慮に入れなければならない。さもないと、周囲の構造からの信号が、画像の中央部分に画像アーティファクトを形成するであろう。これは、周囲構造によって発生された信号の推定値を保持しておき、この推定値を用いて画像の周縁領域についての合成生データを発生することにより達成される。加えて、新たに収集されたＮＭＲデータを用いて最終的な画像の中央部分の画像を再構成する前に、前述の推定値をこの新たに収集されたＮＭＲデータから減算する。これにより、画像の中央部分の更新と更新との間で、完全なＮＭＲデータ・セットよりも少ないデータ・セットを収集することが可能になり、このようにして、画像のこの部分の時間分解能を高めることができる。
【０００８】
本発明の一般的な目的は、システムの時間分解能を高めることにある。例えば、動的な部分が完全なビュー領域のうちの２分の１を網羅しているならば、本方法をスピン・ワープ測定サイクルと共に用いて、奇数番号の位相エンコーディング・ビューを取得すると共にこのビューを用いて画像を更新し、続いて偶数番号の位相エンコーディング・ビューを収集して更にもう一度画像を更新することができる。このように、完全なＮＭＲ画像データ・セットを収集するのに要求される時間内で、画像は２回更新される。これにより、時間分解能が実効的に２倍に高まる。
【０００９】
【実施例】
先ず、図１を参照すると、同図には、本発明を組み込んだ好適なＭＲＩシステムの主要な構成要素が示されている。システムの動作は、オペレータ・コンソール１００から制御され、オペレータ・コンソール１００は、キーボード兼制御パネル１０２と、ディスプレイ１０４とを含んでいる。コンソール１００はリンク１１６を介して、独立した計算機システム１０７と交信しており、計算機システム１０７は、オペレータによるスクリーン１０４上での画像の形成及び表示の制御を可能にしている。計算機システム１０７は、バックプレーンを介して互いに交信している多数のモジュールを含んでいる。これらのモジュールは、画像処理モジュール１０６と、ＣＰＵモジュール１０８と、画像データ配列を記憶するフレーム・バッファとして当業界で知られているメモリ・モジュール１１３とを含んでいる。計算機システム１０７は、画像データ及びプログラムを記憶するためのディスク記憶装置１１１及びテープ駆動装置１１２に結合されていると共に、高速シリアル・リンク１１５を介して別個のシステム制御装置１２２と交信している。
【００１０】
システム制御装置１２２は、バックプレーン１１８によって互いに接続された１組のモジュールを含んでいる。これらのモジュールは、ＣＰＵモジュール１１９と、パルス発生器モジュール１２１とを含んでおり、パルス発生器モジュール１２１は、シリアル・リンク１２５を介してオペレータ・コンソール１００と接続している。リンク１２５を介して、システム制御装置１２２は実行されるべき走査シーケンスを指示する命令（コマンド）をオペレータから受信する。パルス発生器モジュール１２１は、システムの構成要素を動作させて所望の走査シーケンスを実行する。モジュール１２１は、発生されるべきＲＦパルスのタイミング、強度及び形状、並びにデータ収集ウィンドウのタイミング及び長さを指示するデータを発生する。パルス発生器モジュール１２１は、１組の勾配増幅器１２７に接続されており、走査中に発生される勾配パルスのタイミング及び形状を指示する。パルス発生器モジュール１２１は又、患者に接続された多数の異なるセンサからの信号、例えば電極からの心電図（ＥＣＧ）信号又はベローからの呼吸信号を受信する生理学データ収集制御装置１２９から患者のデータを受信する。そして最後に、パルス発生器モジュール１２１は、患者の状態及びマグネット・システムの状態と関連している様々なセンサからの信号を受信する走査室インタフェイス回路１３３に接続している。走査室インタフェイス回路１３３を介して、患者位置決めシステム１３４も又、走査の間に所望の走査位置に患者を移動させるための命令を受信する。
【００１１】
パルス発生器モジュール１２１によって発生された勾配波形は、Ｇx 増幅器と、Ｇy 増幅器と、Ｇz 増幅器とで構成されている勾配増幅器システム１２７に印加される。各々の勾配増幅器は、全体的に参照番号１３９を付したアセンブリ内の対応する勾配コイルを励起して、位置エンコーディング信号の収集に用いられる磁場勾配を発生する。勾配コイル・アセンブリ１３９は、マグネット・アセンブリ１４１の一部を形成しており、マグネット・アセンブリ１４１は、分極マグネット１４０と、全身型ＲＦコイル１５２とを含んでいる。システム制御装置１２２内の送受信モジュール１５０はパルスを発生し、これらのパルスは、ＲＦ増幅器１５１によって増幅されると共に、送信／受信（Ｔ／Ｒ）スイッチ１５４によってＲＦコイル１５２に結合される。患者内の励起核によって放出された結果として生ずる信号は、同じＲＦコイル１５２によって検知されると共に送信／受信スイッチ１５４を介して前置増幅器１５３に結合されることができる。増幅されたＮＭＲ信号は、送受信器１５０の受信部において復調され、濾波されると共にディジタル化される。送信／受信スイッチ１５４は、パルス発生器モジュール１２１からの信号によって制御されて、送信モード中にはＲＦ増幅器１５１をコイル１５２に電気的に接続し、受信モード中には前置増幅器１５３をコイル１５２に電気的に接続する。送信／受信スイッチ１５４は又、送信モード又は受信モードのいずれの場合でも、分離型ＲＦコイル（例えば、頭部コイル又は表面コイル）を用いることを可能にしている。
【００１２】
ＲＦコイル１５２によって捕えられたＮＭＲ信号は、送受信モジュール１５０によってディジタル化されると共に、システム制御装置１２２内のメモリ・モジュール１６０へ転送される。走査が完了してデータ配列全体がメモリ・モジュール１６０内に収集されたときに、アレイ・プロセッサ１６１が動作してこのデータを画像データ配列へフーリエ変換する。この画像データは、シリアル・リンク１１５を介して計算機システム１０７へ伝送されて、ここでディスク・メモリ１１１内に記憶される。オペレータ・コンソール１００から受信した命令に応答して、この画像データをテープ駆動装置１１２に保管することもできるし、又は画像処理装置１０６で更に処理してオペレータ・コンソール１００へ伝送すると共にディスプレイ１０４に表示することもできる。
【００１３】
送受信器１５０の詳細については、米国特許第４，９５２，８７７号及び同第４，９９２，７３６号に記載されており、両特許はここに参照されるべきものである。
本発明は、位相エンコードされる方向についてビュー領域の中央にあたる２分の１が「動的」であり、外側にあたる２分の１が「静的」であるような応用について記載される。当業者は、本発明の他の応用が可能であることを認められよう。本発明の好適な実施例では、被検体の走査中に、米国特許第４，４７１，３０６号に開示されているようなスピン・ワープＮＭＲパルス・シーケンスを用いてＮＭＲデータを収集している。各々が個別の位相エンコーディング値にある合計１２８の個別の測定サイクルを用いてデータを収集し、このデータから、ビュー領域全体の完全な画像を再構成することができる。しかしながら、単調な順序で（−６３から＋６４までの）１２８の「ビュー」を収集するのではなく、奇数番号のビュー（即ち、−６３，−６１，−５９，…，６１，６３）のすべてを収集する。従って、図２に模式的に示す通り、走査が時間を経て進行するにつれて、ＮＭＲデータは、漸次変化する一連の画像を形成するために、奇数のビューと、偶数のビューとについて交互に収集される。従来の画像再構成方法を用いると、完全なビュー領域の更新された画像は、奇数のビューと偶数のビューとの両者で構成された完全な１組が収集された後に形成される。従って、時間分解能は、奇数のビューと偶数のビューとの両者を収集するのに要求される時間となる。
【００１４】
本発明は、同じ時間内で２つの更新された画像を形成することにより、時間分解能を２倍に高める。更に具体的には、すべての奇数番号のビューを収集した後に、更新された画像を形成し、すべての偶数番号のビューを収集した後に、もう１つの更新された画像を形成する。これは、走査動作中に以下の２つの個別の手順を実行することにより達成される。即ち、矢印２００に示すように、各々の奇数のデータと各々の偶数のデータとを収集した後に、動的な画像を更新し、矢印２０２で示すように、各々の完全なデータ・セット（即ち、奇数のビューと偶数のビューとの両者）を収集した後に、静的な画像を更新するのである。これらの更新手順は、アレイ・プロセッサ１６１（図１）によって、図３及び図４に示す各工程に従って実行される。
【００１５】
図３を詳細に参照すると、１２８の個別に位相エンコードされたビューで構成された各々の完全なｋ空間データ・セットが収集された後に、処理ブロック２１０で示すように２次元フーリエ変換（「２ＤＦＴ」）を実行することにより、このデータ・セットから通常の方式で画像が再構成される。この「カレント」（現在）の画像は、処理ブロック２１２に示すように、以前に収集された画像と平均されて、「静的」な画像を形成する。
【００１６】
以前に収集された完全な画像で平均に含められる画像の数は、「静的」な領域の時間分解能を制御する。このような画像が全く用いられないか、又はごく僅かしか用いられない場合には、システムは、静的な領域内での相当数の動きを取り扱い得るようになるが、雑音及びシステム不安定性に対して敏感になることがある。平均される期間を長くすれば、これらの影響は小さくなる。従って、平均される期間は、外側部分が相当に静的である時間に匹敵するように選択されなければならず、一般にこの時間は数秒間である。
【００１７】
次いで、処理ブロック２１４で示すように、更新された静的な画像の中央領域をゼロに設定し、処理ブロック２１６に示すように、これを位相エンコーディング軸に沿って逆フーリエ変換して合成データを発生する。ゼロに設定された中央領域は、画像のビュー領域の２分の１を包含しており、この領域は、走査中に急速に変化するあらゆる構造を包含していなければならない。この中央領域の外側の構造は、静的であるか、又は緩慢に変化するかのいずれかでなければならない。なぜなら、静的な画像は、比較的低い時間分解能で更新されるからである。
【００１８】
図４を詳細に参照すると、奇数の位相エンコーディング・ビュー又は偶数の位相エンコーディング・ビューのいずれかで構成された部分的なデータの各々が収集された後に、アレイ・プロセッサ１６１は、処理ブロック２２０で示すように、収集された部分的なデータ・セットに対して１次元フーリエ変換を行う。この変換は、読み出し勾配軸（好適な実施例では、ｘ軸）に沿って行われる。奇数のビューのみ又は偶数のビューのみで構成された部分的なデータ・セットは、完全なビュー領域のうちの２分の１（例えば、動的な部分）を網羅する物体についての高空間分解能画像を形成するのに必要な情報を含んでいる。当業界では周知のように、この領域の外側の信号発生領域の存在によって、空間的エイリアシング・アーティファクト（spatial aliasing artifact）が生ずる。本発明の教示によれば、これらのアーティファクトは、処理ブロック２２２に示すように、変換された奇数のビュー又は偶数のビューから対応する合成データを減算することにより抑制され得る。換言すれば、合成データの奇数のビューが、最も近い過去に収集されたデータの対応する変換された奇数のビューから減算されるか、又は、合成データの偶数のビューが、最も近い過去に収集されたデータの対応する変換された偶数のビューから減算される。次いで、処理ブロック２２４で示すように、この差データは、位相エンコーディング勾配軸（好適な実施例では、ｙ軸）に沿って変換されて、ビュー領域の中央部分の実際の空間内の画像を形成する。
【００１９】
ＦＯＶの静的な部分と動的な部分との両者を含んでいる画像を形成することが望ましい場合がある。このような画像は、外側部分についての推定された平均画像内に、動的な内側のＦＯＶ画像を挿入することにより形成され得る。従って、処理ブロック２２６に示すように、中央領域の「動的」な画像が周囲領域の「静的」な画像と結合されて、更新された完全なビュー領域の画像が形成される。この更新された画像は、表示及び更なる画像処理を行うために前述の計算機システム１０７へ出力される。
【００２０】
当業者には、本発明の要旨から逸脱することなく好適な実施例から多数の変更を行うことが可能であることは明らかであろう。好適な実施例では、外側の静的な画像は、収集されたデータに先行するフレームの単純平均によって取得されているが、指数平均を用いることもできるし、補外法を用いて静的な画像を形成することもできる。例えば、各々の位相エンコーディング値について、進行中のデータ収集を用いて線形適合値（linear fit）を形成し、この適合値を用いて関心フレームについての静的な画像データを予測することができる。
【００２１】
所載の実現方法では、物体の動的な部分がＦＯＶの中央にあり、ＦＯＶのうちの外側部分は静的であるものと仮定したが、動的な部分が中央にない場合にも本方法を用いることができる。この場合には、すべての測定データに、適当な線形的に変化する（ｋ空間内で）位相シフトを予め乗算すればよい。当業界では公知のように、ｋ空間内での線形的な位相シフトは画像空間の空間的シフトを発生する。位相シフトは、物体の動的な部分を、シフトされたＦＯＶの中央に向かって平行移動させるように選択されている。
【００２２】
以上に記載した実施例では、動的な部分はビュー領域の２分の１を網羅しており、この知識を用いて時間分解能を２倍に高めた。一般的には、動的な部分がビュー領域の小部分（１／ｎ）であれば、時間分解能はｎ倍に高まり得る。
本発明は又、スピン・ワープ作像以外の手法にも適用され得る。ＭＲ作像の１つの方策では、フーリエ変換空間（ｋ空間）内で螺旋状にフーリエ変換データを収集する。しばしば、多数のインタリーブされた螺旋型軌跡を用いて、必要な空間分解能及びＦＯＶを取得する。インタリーブされた軌跡は一般的には、ｋ空間内の当初の軌跡を（３６０／Ｌ）°回転させることにより取得される。ここで、Ｌはインタリーブの数である。インタリーブされた軌跡同士の間のｋ空間距離、従って、Ｌの数がビュー領域を決定する。スピン・ワープ作像で本発明を用いた方法と類似の方式で本発明を用いて、インタリーブされた螺旋型軌跡によるダイナミック・スタディの時間分解能を高めることができる。同様に、本発明をインタリーブされたエコー・プラナ作像（ＥＰＩ）と共に用いることもできる。
【００２３】
これらすべての応用の主眼は、以下の通りである。いかなる時間フレームについても、完全なＦＯＶを描像するには十分でない部分的なｋ空間のサンプリングを用いる。しかしながら、１つの時間フレーム内でのサンプルは、他の時間フレーム内でのサンプルでインタリーブされ得るので、これらを一緒にして完全なＦＯＶを適切に描像することができる。完全なビュー領域の画像を処理して、完全なビュー領域のうちの静的な部分についての推定生ＮＭＲデータを求める。これらのデータを収集された部分的なｋ空間データから減算して、ビュー領域のうちの動的な部分の高品質画像を形成する。
【００２４】
以上、本発明を特定の実施例を参照しながら記載してきたが、この記載は本発明を説明するものであって、本発明を限定するものと解釈してはならない。当業者は、特許請求の範囲によって画定された発明の要旨から逸脱することなく様々な応用及び改変を創出することができるであろう。
【図面の簡単な説明】
【図１】本発明を用いたＭＲＩシステムのブロック図である。
【図２】本発明によるデータ収集シーケンス及び画像更新頻度の模式図である。
【図３】図１のＭＲＩシステムが静的な画像を更新する方法を表す流れ図である。
【図４】図１のＭＲＩシステムが動的な画像を更新すると共にこの動的な画像を静的な画像と結合させる方法を表す流れ図である。
【符号の説明】
１００  オペレータ・コンソール
１０２  キーボード兼制御パネル
１０４  ディスプレイ
１０６  画像処理装置
１０７  計算機システム
１０８、１１９  ＣＰＵモジュール
１１１  ディスク記憶装置
１１２  テープ駆動装置
１１３、１６０  メモリ・モジュール
１１５  高速シリアル・リンク
１１６  リンク
１１８  バックプレーン
１２１  パルス発生器モジュール
１２２  システム制御装置
１２５  シリアル・リンク
１２７  勾配増幅器
１２９  生理学データ収集制御装置
１３３  走査室インタフェイス回路
１３４  患者位置決めシステム
１３９  勾配コイル・アセンブリ
１４０  分極マグネット
１４１  マグネット・アセンブリ
１５０  送受信モジュール
１５１  ＲＦ増幅器
１５２  全身型ＲＦコイル
１５３  前置増幅器
１５４  送信／受信（Ｔ／Ｒ）スイッチ
１６１  アレイ・プロセッサ
２００  動的な画像の更新タイミング
２０２  静的な画像の更新タイミング
【図１】
0003735429.tif 000002
【図２】
0003735429.tif 000003
【図３】
0003735429.tif 000004
【図４】
0003735429.tif 000005